【手続補正書】
【提出日】平成17年10月7日(2005.10.7)
【手続補正１】
【補正対象書類名】明細書
【補正対象項目名】特許請求の範囲
【補正方法】変更
【補正の内容】
【特許請求の範囲】
【請求項１】  情報の伝達或いは処理を行う外部機器と電気的に接続可能に構成され、前記外部機器からの情報を情報記録媒体に記録或いは前記記録媒体から読み出した情報を前記外部機器に送信する情報記録再生装置において、前記外部機器との接続を検出する手段と、前記検出手段により前記外部機器との接続が検出されている場合には、前記記録媒体の搬出を禁止する手段とを備えたことを特徴とする情報記録再生装置。
【請求項２】  情報の伝達或いは処理を行う外部機器と電気的に接続可能に構成され、前記外部機器からの情報を情報記録媒体に記録或いは前記記録媒体から読み出した情報を前記外部機器に送信する情報記録再生装置において、再生モードと記録モードを切り換える手段と、前記モードを検出する手段と、前記外部機器との接続を検出する手段とを備え、前記接続検出手段により外部機器との接続が検出され、且つ、前記モード検出手段で再生モードが検出された場合には、前記記録媒体の搬出を許可し、前記接続検出手段により外部機器との接続が検出され、且つ、前記モード検出手段で記録モードが検出された場合には、前記記録媒体の搬出を禁止することを特徴とする情報記録再生装置。
【請求項３】  記録媒体に情報の書き込み作業を行う中で、前記記録媒体の搬出を禁止するためのロック信号を発信する発信手段を有する外部機器に対して、電気的に接続可能に構成され、かつ前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする情報記録再生装置。
【請求項４】  印刷手段が配備され、前記印刷手段により印刷する際にはロック信号を発信する発信手段を有する外部機器に対して、電気的に接続可能に構成され、かつ前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする情報記録再生装置。
【請求項５】  情報の伝達或いは処理を行う外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記検出手段により前記情報記録再生装置と前記外部機器との接続が検出されている場合には、前記情報記録再生装置からの記録媒体の搬出を禁止する手段とを備えたことを特徴とする情報記録再生システム。
【請求項６】  情報の伝達或いは処理を行う外部機器と前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置の再生モードと記録モードを切り換える手段と、前記モードを検出する手段と、前記情報記録再生装置と前記外部機器との接続を検出する手段とを備え、前記接続検出手段により前記情報記録再生装置と外部機器との接続が検出され、且つ、前記モード検出手段で再生モードが検出された場合には、前記情報記録再生装置からの記録媒体の搬出を許可し、前記接続検出手段により前記情報記録再生装置と外部機器との接続が検出され、且つ、前記モード検出手段で記録モードが検出された場合には、前記情報記録再生装置からの記録媒体の搬出を禁止することを特徴とする情報記録再生システム。
【請求項７】  記録媒体に情報の書き込み作業を行う中で、前記記録媒体の搬出を禁止するためのロック信号を発信する発信手段を有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする情報記録再生システム。
【請求項８】  印刷手段が配備され、前記印刷手段により印刷する際にはロック信号を発信する発信手段を有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする情報記録再生システム。
【手続補正２】
【補正対象書類名】明細書
【補正対象項目名】００２７
【補正方法】変更
【補正の内容】
【００２７】
また、本発明の情報記録再生装置は、情報の伝達或いは処理を行う外部機器と電気的に接続可能に構成され、前記外部機器からの情報を情報記録媒体に記録或いは前記記録媒体から読み出した情報を前記外部機器に送信する情報記録再生装置において、再生モードと記録モードを切り換える手段と、前記モードを検出する手段と、前記外部機器との接続を検出する手段とを備え、前記接続検出手段により外部機器との接続が検出され、且つ、前記モード検出手段で再生モードが検出された場合には、前記記録媒体の搬出を許可し、前記接続検出手段により外部機器との接続が検出され、且つ、前記モード検出手段で記録モードが検出された場合には、前記記録媒体の搬出を禁止することを特徴とする。
【手続補正３】
【補正対象書類名】明細書
【補正対象項目名】００２８
【補正方法】変更
【補正の内容】
【００２８】
また、本発明の情報記録再生装置は、記録媒体に情報の書き込み作業を行う中で、前記記録媒体の搬出を禁止するためのロック信号を発信する発信手段を有する外部機器に対して、電気的に接続可能に構成され、かつ前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする。
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】変更
【補正の内容】
【００３０】
また、本発明の情報記録再生装置は、印刷手段が配備され、前記印刷手段により印刷する際にはロック信号を発信する発信手段を有する外部機器に対して、電気的に接続可能に構成され、かつ前記外部機器からの情報を情報記録媒体に記録或いは前記記録媒体から読み出した情報を前記外部機器に送信する情報記録再生装置において、前記外部機器との接続を検出する手段と、前記ロック信号を検出する手段とを備え、前記接続検出手段により外部機器との接続が検出され、且つ、前記ロック信号検出手段により前記ロック信号が検出された場合には、前記記録媒体の搬出を禁止することを特徴とする。
【手続補正６】
【補正対象書類名】明細書
【補正対象項目名】００３２
【補正方法】変更
【補正の内容】
【００３２】
また、本発明の情報記録再生システムは、情報の伝達或いは処理を行う外部機器と前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置の再生モードと記録モードを切り換える手段と、前記モードを検出する手段と、前記情報記録再生装置と前記外部機器との接続を検出する手段とを備え、前記接続検出手段により前記情報記録再生装置と外部機器との接続が検出され、且つ、前記モード検出手段で再生モードが検出された場合には、前記情報記録再生装置からの記録媒体の搬出を許可し、前記接続検出手段により前記情報記録再生装置と外部機器との接続が検出され、且つ、前記モード検出手段で記録モードが検出された場合には、前記情報記録再生装置からの記録媒体の搬出を禁止することを特徴とする。
【手続補正７】
【補正対象書類名】明細書
【補正対象項目名】００３３
【補正方法】変更
【補正の内容】
【００３３】
また、本発明の情報記録再生システムは、記録媒体に情報の書き込み作業を行う中で、前記記録媒体の搬出を禁止するためのロック信号を発信する発信手段を有する外部機器と、前記外部機器に電気的に接続可能に構成され、前記外部機器からの情報を情報記録媒体に記録或いは前記記録媒体から読み出した情報を前記外部機器に送信する情報記録再生装置とを有するシステムにおいて、前記情報記録再生装置と前記外部機器との接続を検出する手段と、前記ロック信号を検出する手段とを備え、前記接続検出手段により前記情報記録再生装置と外部機器との接続が検出され、且つ、前記ロック信号検出手段により前記ロック信号が検出された場合には、前記情報記録再生装置からの記録媒体の搬出を禁止することを特徴とする。
【手続補正８】
【補正対象書類名】明細書
【補正対象項目名】００３４
【補正方法】削除
【補正の内容】